(57)【要約】      （修正有）【課題】縦線材及び横線材を互いに面内方向で傾動させることのできる可動領域を大きく確保するとともに、メッシュパネルの面外方向及び面内方向の変形を抑制することのできるメッシュパネル、フェンス及び線材を提供する。【解決手段】複数の線材９が交互に編み合わされたメッシュパネル１に関し、縦方向凹部が形成された縦線材２と、横方向凹部が形成された横線材３とを備え、縦線材２及び横線材３の何れか一方又は両方は、縦線材２と横線材３とが交差する縦方向凹部及び横方向凹部に、線材の軸方向へ略直線状に延びて縦線材２及び横線材３の何れか他方と当接される交差底部が形成されるものであり、交差底部は、縦線材２又は横線材３の軸方向における縦方向凹部及び横方向凹部の端部に、縦線材２又は横線材３の周方向で内側から外側に向けて延びて形成される切込部を有する。【選択図】図１
2015034377.tif 000002
【特許請求の範囲】
【請求項１】
複数の線材が交互に編み合わされたメッシュパネルであって、
凹部が形成された縦線材と、凹部が形成された横線材とを備え、
前記縦線材及び前記横線材の何れか一方又は両方は、前記縦線材と前記横線材とが交差する前記凹部に、線材の軸方向へ略直線状に延びて前記縦線材及び前記横線材の何れか他方と当接される交差底部が形成されるものであり、
前記交差底部は、前記縦線材又は前記横線材の軸方向における前記凹部の端部に、前記縦線材又は前記横線材の周方向で内側から外側に向けて延びて形成される切込部を有すること
を特徴とするメッシュパネル。
【請求項２】
前記縦線材及び前記横線材の何れか一方又は両方は、前記縦線材と前記横線材とが交差する前記凹部に、前記交差底部の裏側となる交差頂部が湾曲して形成されること
を特徴とする請求項１に記載のメッシュパネル。
【請求項３】
前記切込部は、前記縦線材又は前記横線材の周方向で内側から外側に向けて、湾曲して形成される湾曲形状、略直線状に傾斜して形成される傾斜形状、又は、略階段状に形成される階段形状であること
を特徴とする請求項１又は２に記載のメッシュパネル。
【請求項４】
前記交差底部は、前記縦線材及び前記横線材の何れか他方に面接触されるものであり、又は、線材の軸方向の両側部で前記縦線材及び前記横線材の何れか他方に線接触されるものであること
を特徴とする請求項１〜３の何れか１項に記載のメッシュパネル。
【請求項５】
正面側と背面側とを隔てて設置されるフェンスであって、
凹部が形成された縦線材と凹部が形成された横線材とを有するメッシュパネルと、前記メッシュパネルが取り付けられる支柱とを備え、
前記縦線材及び前記横線材の何れか一方又は両方は、前記縦線材と前記横線材とが交差する前記凹部に、線材の軸方向へ略直線状に延びて前記縦線材及び前記横線材の何れか他方と当接される交差底部が形成されるものであり、
前記交差底部は、前記縦線材又は前記横線材の軸方向における前記凹部の端部に、前記縦線材又は前記横線材の周方向で内側から外側に向けて延びて形成される切込部を有すること
を特徴とするフェンス。
【請求項６】
縦線材又は横線材として用いられる線材であって、
軸方向で略直線状に延びる交差底部が形成された凹部を備え、
前記交差底部は、軸方向における前記凹部の端部に、周方向で内側から外側に向けて延びて形成される切込部を有すること
を特徴とする線材。
【発明の詳細な説明】
【技術分野】
【０００１】
本発明は、複数の線材が交互に編み合わされたメッシュパネル、フェンス及び縦線材又は横線材として用いられる線材に関する。
【背景技術】
【０００２】
従来より、複数の縦線材と複数の横線材とが、交互に前後方向で交差するようにしたフェンス金網が知られている（例えば、特許文献１参照）。また、縦線材と横線材とにクリンプ線材が使用された金網を用いたフェンスも知られている（例えば、特許文献２参照）。さらに、波形屈曲部と直線部とを交互に備えた縦線材と、波形屈曲線材からなる横線材とを組み合わせた金網フェンスも知られている（例えば、特許文献３参照）。
【０００３】
特許文献１に開示されたフェンス金網は、縦線材と横線材との交差部において、縦線材及び横線材がそれぞれ対向方向に凹状に屈曲又は弯曲し、屈曲又は弯曲した部位の幅が対向する縦線材又は横線材の径よりも大きくされている。
【０００４】
特許文献２に開示されたフェンスは、フェンス本体（クリンプ線材が使用された金網）が、複数の縦線材９２と複数の横線材９３とを格子状に編成して構成される。特許文献２に開示されたフェンスは、図２１（ａ）に示すように、縦線材９２及び横線材９３の線径ｄが、波形の凹部９４と凸部９５との間隔ｈ以下となるように設けられ、縦線材９２及び横線材９３が、相手側の縦線材９２又は横線材９３の凹部９４と凸部９５との間に納まって係合される構造となっている。
【０００５】
特許文献２に開示されたフェンスは、縦線材９２及び横線材９３の各々の線径ｄに対して、フェンス本体の面外方向に間隙ｇが形成されるように、凹部９４と凸部９５との間隔ｈとピッチｐとが設定されるため、縦線材９２と横線材９３とは互いに傾動自在となり、フェンス本体傾斜させて変形できるようにされている。
【先行技術文献】
【特許文献】
【０００６】
【特許文献１】特開２００２−８１２３１号公報
【特許文献２】特開２００６−１５２６１６号公報
【特許文献３】特開２００７−２６７７２１号公報
【発明の概要】
【発明が解決しようとする課題】
【０００７】
しかし、従来の金網は、波形屈曲したクリンプ線材を縦線材９２及び横線材９３として用いた金網の場合に、波形屈曲した波線材における凹部９４と凸部９５との間隔ｈを、線材の線径ｄよりも大きくして間隙ｇが形成されることにより、線材の自由度を高め、金網全体として傾斜させて変形可能にされ、自在性が高い金網とされたものであるが、金網面に対する面外方向の変形が大きくなり、形態安定性が低下するため、運搬しづらいという問題点があった。
【０００８】
また、従来の金網は、図２１（ｂ）に示すように、縦線材９２と横線材９３との交差部で、縦線材９２と横線材９３とが１箇の線分ｓで線接触し、この線接触した１箇の線分ｓを支点として、縦線材９２と横線材９３とを互いに傾動自在とすることもできる。このときも、従来の金網は、金網全体として傾斜させて変形可能にされたものとなるが、金網面に対する面外方向の変形に対して、１箇の線分ｓにおける線接触では十分に抵抗することができず、金網面の面外方向の変形が大きくなり、形態安定性が低下するため、運搬しづらいという問題があった。
【０００９】
また、従来の金網は、線材の自由度を高め、金網全体として傾斜させて変形可能にされ、自在性が高い金網であるが、自在性がある反面、運搬時に金網が面内方向で傾斜させて変形するように自由に動き、形態安定性が低下するため、運搬しづらいという問題点もあった。
【００１０】
さらに、従来の金網は、個々の縦線材９２又は横線材９３自体に自由度が付与されて、金網面に対する面外方向及び面内方向等にガタつくことによって、縦線材９２及び横線材９３の向きが不揃いになって歪な外観となり、また、金網を胴縁に固定する際に、縦線材９２の線材軸回転によってパネル面に垂直に固定することができなくなるという問題点もあった。
【００１１】
そこで、本発明は、上述した問題点に鑑みて案出されたものであり、その目的とするところは、縦線材及び横線材を互いに面内方向で傾動させることのできる可動領域を大きく確保するとともに、メッシュパネルの面外方向及び面内方向の変形を抑制することのできるメッシュパネル、フェンス及び線材を提供することにある。
【課題を解決するための手段】
【００１２】
第１発明に係るメッシュパネルは、複数の線材が交互に編み合わされたメッシュパネルであって、凹部が形成された縦線材と、凹部が形成された横線材とを備え、前記縦線材及び前記横線材の何れか一方又は両方は、前記縦線材と前記横線材とが交差する前記凹部に、線材の軸方向へ略直線状に延びて前記縦線材及び前記横線材の何れか他方と当接される交差底部が形成されるものであり、前記交差底部は、前記縦線材又は前記横線材の軸方向における前記凹部の端部に、前記縦線材又は前記横線材の周方向で内側から外側に向けて延びて形成される切込部を有することを特徴とする。
【００１３】
第２発明に係るメッシュパネルは、第１発明において、前記縦線材及び前記横線材の何れか一方又は両方は、前記縦線材と前記横線材とが交差する前記凹部に、前記交差底部の裏側となる交差頂部が湾曲して形成されることを特徴とする。
【００１４】
第３発明に係るメッシュパネルは、第１発明又は第２発明において、前記切込部は、前記縦線材又は前記横線材の周方向で内側から外側に向けて、湾曲して形成される湾曲形状、略直線状に傾斜して形成される傾斜形状、又は、略階段状に形成される階段形状であることを特徴とする。
【００１５】
第４発明に係るメッシュパネルは、第１発明〜第３発明の何れかにおいて、前記交差底部は、前記縦線材及び前記横線材の何れか他方に面接触されるものであり、又は、線材の軸方向の両側部で前記縦線材及び前記横線材の何れか他方に線接触されるものであることを特徴とする。
【００１６】
第５発明に係るフェンスは、正面側と背面側とを隔てて設置されるフェンスであって、凹部が形成された縦線材と凹部が形成された横線材とを有するメッシュパネルと、前記メッシュパネルが取り付けられる支柱とを備え、前記縦線材及び前記横線材の何れか一方又は両方は、前記縦線材と前記横線材とが交差する前記凹部に、線材の軸方向へ略直線状に延びて前記縦線材及び前記横線材の何れか他方と当接される交差底部が形成されるものであり、前記交差底部は、前記縦線材又は前記横線材の軸方向における前記凹部の端部に、前記縦線材又は前記横線材の周方向で内側から外側に向けて延びて形成される切込部を有することを特徴とする。
【００１７】
第６発明に係る線材は、縦線材又は横線材として用いられる線材であって、軸方向で略直線状に延びる交差底部が形成された凹部を備え、前記交差底部は、軸方向における前記凹部の端部に、周方向で内側から外側に向けて延びて形成される切込部を有することを特徴とする。
【発明の効果】
【００１８】
第１発明〜第４発明によれば、縦線材の縦方向凹部の交差底部及び横線材の横方向凹部の交差底部に切込部が形成されるため、縦線材及び横線材を互いに面内方向で傾動させることのできる可動領域を大きく確保することが可能となる。
【００１９】
また、第１発明〜第４発明によれば、交差底部に切込部が形成されることで、縦線材の縦方向凹部及び横線材の横方向凹部の交差底部の両側部で、横線材の横方向凹部及び縦線材の縦方向凹部の端部との離間距離を大きくすることなく間隙を大きくすることができ、傾斜角度を大きくすると同時に、縦線材及び横線材の面内方向のスライド移動を抑制することができ、メッシュパネルの形態安定性を向上させることが可能となる。
【００２０】
特に、第２発明によれば、縦線材及び横線材が断面略欠円形状に形成されるため、交差頂部が湾曲して形成されて線材の奥行方向の剛性を向上させることができ、縦線材及び横線材の断面性能を向上させて、メッシュパネルの面外方向の変形を抑制することが可能となる。
【００２１】
特に、第２発明によれば、縦線材及び横線材の交差頂部が湾曲して形成されるため、メッシュパネルに人や物が接触した場合であっても、交差頂部が丸みを帯びて形成されることによって、接触した人や物に損傷を与えることを防止することが可能となる。
【００２２】
特に、第３発明によれば、縦線材及び横線材の各々について、交差底部が並べて形成されるものとなり、波状の曲線が単調に連続するものに比べて、縦線材及び横線材の各々を変化に富んだ形状にすることができ、メッシュパネルの全体の美感を向上させることが可能となる。
【００２３】
特に、第４発明によれば、縦線材と横線材との線接触又は面接触によって、メッシュパネルの面外方向の変形に抵抗することができるものとなり、メッシュパネルの形態安定性を向上させることができ、メッシュパネルの運搬、設置を容易、確実にすることが可能となる。
【００２４】
特に、第４発明によれば、縦線材と横線材との線接触又は面接触によって、縦線材及び横線材として用いられる線材の回転を防止して、交差底部で当接された縦方向凹部及び横方向凹部が、互いに離間することを防止することができるため、メッシュパネルの製造から梱包、運搬、施工までの間におけるメッシュパネルの分解を防止することが可能となる。
【００２５】
第５発明によれば、メッシュパネルの左右両側を上下方向に相対移動させることで、縦線材が上下方向に配向されたままの状態を保持して、横線材を左右方向に傾斜させることができ、傾斜地に設置されるときに、縦線材と横線材とが傾斜して交差する状態で配置することが可能となる。
【００２６】
第５発明によれば、メッシュパネルの傾斜する変形を自在なものとすると同時に、メッシュパネルの面外方向及び面内方向の変形を抑制して、さらに、メッシュパネルの傾斜する変形を適度に調整して形態安定性を向上させることができ、メッシュパネルの運搬、設置を容易にすることが可能となる。
【００２７】
第６発明によれば、縦線材及び横線材の各々について、交差底部が略平行となるように並べて形成されるため、波状の曲線が単調に連続する場合に比べて、線材の使用量を低減させることができ、メッシュパネルの製造における歩留まりを著しく向上させることが可能となる。
【図面の簡単な説明】
【００２８】
【図１】本発明を適用したメッシュパネルを示す斜視図である。
【図２】（ａ）は、本発明に係るメッシュパネルの縦線材を示す側面図であり、（ｂ）は、その正面図である。
【図３】（ａ）は、本発明に係るメッシュパネルの横線材を示す平面図であり、（ｂ）は、その正面図である。
【図４】（ａ）は、本発明に係るメッシュパネルの交差底部を示す拡大正面図であり、（ｂ）は、その拡大側面図である。
【図５】（ａ）は、本発明に係るメッシュパネルの湾曲形状の切込部を示す拡大正面図であり、（ｂ）は、傾斜形状の切込部を示す拡大正面図であり、（ｃ）は、階段形状の切込部を示す拡大正面図であり、（ｄ）は、湾曲形状を変形させた切込部を示す拡大正面図である。
【図６】（ａ）は、本発明に係るメッシュパネルの交差頂部を示す拡大側面図であり、（ｂ）は、その拡大正面図であり、（ｃ）は、そのＤ−Ｄ端面図である。
【図７】（ａ）は、本発明に係るメッシュパネルの交差頂部の変形例を示す拡大側面図であり、（ｂ）は、その拡大正面図であり、（ｃ）は、そのＥ−Ｅ端面図である。
【図８】本発明を適用したメッシュパネルの縦線材と横線材とが直角に交差する交差部を示す正面図である。
【図９】本発明を適用したメッシュパネルの交差部を示す側面方向の断面図である。
【図１０】本発明を適用したメッシュパネルの交差部を示す平面方向の断面図である。
【図１１】本発明に係るメッシュパネルの縦線材と横線材とが傾斜して交差する交差部を示す正面図である。
【図１２】（ａ）は、本発明に係るメッシュパネルの縦線材と横線材とが傾斜して交差する交差部を示す拡大正面図であり、（ｂ）は、その比較例の拡大正面図である。
【図１３】本発明に係るメッシュパネルの交差底部の接触線及び接触面を示す斜視図である。
【図１４】本発明に係るメッシュパネルの縦線材と横線材とが傾斜する交差部を示す斜視図である。
【図１５】（ａ）は、本発明に係るメッシュパネルの略長方形の状態を示す正面図であり、（ｂ）は、その傾斜した状態を示す正面図である。
【図１６】（ａ）は、本発明を適用したフェンスを示す正面図であり、（ｂ）は、その側面図である。
【図１７】（ａ）は、本発明を適用したフェンスの上部胴縁を示す正面図であり、（ｂ）は、その側面図であり、（ｃ）、（ｄ）は、その連結前の状態を示す正面図である。
【図１８】（ａ）は、本発明を適用したフェンスの支柱に上部胴縁が取り付けられた状態を示す正面図であり、（ｂ）は、その側面図であり、（ｃ）は、本発明を適用したフェンスの上部胴縁にメッシュパネルが取り付けられた状態を示す正面図である。
【図１９】（ａ）は、本発明を適用したフェンスの図１６に示すＡ部を示す平面断面図であり、（ｂ）は、その正面図である。（ｃ）は、本発明を適用したフェンスの図１６に示すＢ部を示す平面断面図であり、（ｄ）は、その正面図である。
【図２０】本発明に係るメッシュパネルが把持された状態を示す正面図である。
【図２１】従来の金網の縦線材と横線材とが互いに１箇の接触線で線接触している状態を示す平面断面図である。
【発明を実施するための形態】
【００２９】
以下、本発明を適用したメッシュパネル１、フェンス１０及び線材９を実施するための形態について、図面を参照しながら詳細に説明する。
【００３０】
本発明を適用したメッシュパネル１は、図１に示すように、本発明を適用した線材９が複数の縦線材２及び複数の横線材３として用いられるものであり、縦線材２及び横線材３として複数の線材９が交互に編み合わされて構成されるものとなる。
【００３１】
本発明を適用したメッシュパネル１は、縦線材２と横線材３とを備えるものであり、メッシュパネル１の前後方向Ｚで縦線材２と横線材３とが交差することによって、所定の箇所に交差部７が形成される。縦線材２及び横線材３は、メッシュパネル１の左右方向Ｘ及び上下方向Ｙで各々が複数並べて設けられる。縦線材２及び横線材３は、断面略円形状の鋼材等に所定の加工が施されることによって、特殊加工形状の線材９が用いられるものとなる。
【００３２】
縦線材２は、図２に示すように、線材９の軸方向Ｙで縦方向に延びる縦方向凹部４が形成される。縦線材２は、線材９の奥行方向Ｚに変形した縦方向凹部４が形成されて、複数の縦方向凹部４が正面側Ａ及び背面側Ｂに交互に突出するように連続させて設けられる。縦線材２は、これに限らず、複数の縦方向凹部４が線材９の軸方向Ｙに所定の間隔を空けて断続的に設けられ、複数の縦方向凹部４の間には縦方向凹部４が設けられない略直線状に形成されてもよい。
【００３３】
縦線材２は、複数の縦方向凹部４が正面側Ａ及び背面側Ｂに交互に突出するように連続させて設けられることで、正面側Ａに突出する凸状部９ａと、背面側Ｂに突出する凹状部９ｂとが、線材９の軸方向Ｙで交互に連続して形成されるものとなり、線材９の軸方向Ｙで凸状部９ａから凹状部９ｂまで傾斜して延びる傾斜部９ｃが形成されるものとなる。
【００３４】
縦線材２は、正面側Ａに突出して設けられる縦方向凹部４においては、線材９の軸方向Ｙで略直線状に延びる略平面状の交差底部６が背面側Ｂに形成されるとともに、線材９の奥行方向Ｚで交差底部６の裏側となる交差頂部８が正面側Ａに形成される。また、縦線材２は、背面側Ｂに突出して設けられる縦方向凹部４においては、線材９の軸方向Ｙで略直線状に延びる略平面状の交差底部６が正面側Ａに形成されるとともに、線材９の奥行方向Ｚで交差底部６の裏側となる交差頂部８が背面側Ｂに形成される。
【００３５】
横線材３は、図３に示すように、線材９の軸方向Ｘで横方向に延びる横方向凹部５が形成される。横線材３は、線材９の奥行方向Ｚに変形した横方向凹部５が形成されて、複数の横方向凹部５が正面側Ａ及び背面側Ｂに交互に突出するように連続させて設けられる。横線材３は、これに限らず、複数の横方向凹部５が線材９の軸方向Ｘに所定の間隔を空けて断続的に設けられ、複数の横方向凹部５の間には横方向凹部５が設けられない略直線状に形成されてもよい。
【００３６】
横線材３は、複数の横方向凹部５が正面側Ａ及び背面側Ｂに交互に突出するように連続させて設けられることで、背面側Ｂに突出する凸状部９ａと、正面側Ａに突出する凹状部９ｂとが、線材９の軸方向Ｘで交互に連続して形成されるものとなり、線材９の軸方向Ｘで凸状部９ａから凹状部９ｂまで傾斜して延びる傾斜部９ｃが形成されるものとなる。
【００３７】
横線材３は、正面側Ａに突出して設けられる横方向凹部５においては、線材９の軸方向Ｘで略直線状に延びる略平面状の交差底部６が背面側Ｂに形成されるとともに、線材９の奥行方向Ｚで交差底部６の裏側となる交差頂部８が正面側Ａに形成される。また、横線材３は、背面側Ｂに突出して設けられる横方向凹部５においては、線材９の軸方向Ｘで略直線状に延びる略平面状の交差底部６が正面側Ａに形成されるとともに、線材９の奥行方向Ｚで交差底部６の裏側となる交差頂部８が背面側Ｂに形成される。
【００３８】
交差底部６は、図４に示すように、線材９の軸方向（縦線材２の軸方向Ｙ、横線材３の軸方向Ｘ）で縦方向凹部４又は横方向凹部５の端部９ｄに形成された切込部６ａを有する。切込部６ａは、線材９の幅方向（縦線材２の幅方向Ｘ、横線材３の幅方向Ｙ）で略中央となる内側から、線材９の幅方向の外側に向けて、線材９の周方向ｗに延びて傾斜部９ｃとの境界が湾曲して形成される。切込部６ａは、交差底部６の線材９の軸方向の長さについて、線材９の幅方向における内側長さＬ０よりも、線材９の幅方向における外側長さＬ１を大きくして形成されるものとなる。
【００３９】
切込部６ａは、図５（ａ）に示すように、縦方向凹部４又は横方向凹部５の端部９ｄにおいて、湾曲して延びる略Ｕ字形の湾曲形状に形成される。切込部６ａは、これに限らず、図５（ｂ）に示すように、略直線状に傾斜して延びる略Ｖ字形の傾斜形状に形成されてもよい。また、切込部６ａは、図５（ｃ）に示すように、略階段状に延びる略コ字形の階段形状に形成されてもよく、図５（ｄ）に示すように、略Ｕ字形の湾曲形状を変形させて形成されてもよい。
【００４０】
交差頂部８は、図６に示すように、線材９の軸方向の略中央から傾斜部９ｃに向けて側面視で奥行方向Ｚへ湾曲させて形成される。また、交差頂部８は、線材９の幅方向の略中央から平面断面視で略円弧状に湾曲させて形成される。このとき、線材９は、縦方向凹部４及び横方向凹部５において、平面断面視で交差頂部８から連続して円弧部分が形成されるともに、略平面状の交差底部６で弦部分が形成されることによって、断面略欠円形状に形成されるものとなる。
【００４１】
交差頂部８は、これに限らず、変形例において、図７に示すように、正面視で略平面状の略楕円形状に形成されるとともに、側面視で線材９の軸方向に略直線状に形成されてもよい。このとき、線材９は、縦方向凹部４及び横方向凹部５において、略平面状の交差頂部８と略平面状の交差底部６とによって、断面略扁平形状に形成されるものとなる。これにより、線材９は、線材９の奥行方向Ｚの厚みを薄くすることが可能となる。
【００４２】
本発明を適用したメッシュパネル１は、図８に示すように、縦線材２と横線材３との交差部７で、２本の縦線材２と２本の横線材３とが編み合わされることによって、所定の目合いで格子状に配列される。本発明を適用したメッシュパネル１は、これに限らず、１本の縦線材２と１本の横線材３とが編み合わされたものであってもよく、３本以上の縦線材２と３本以上の横線材３とが編み合わされたもの、１本の縦線材２と複数の横線材３とが編み合わされたもの、複数の縦線材２と１本の横線材３とが編み合わされたもの等であってもよい。
【００４３】
本発明を適用したメッシュパネル１は、図９に示すように、隣り合う２本の縦線材２のうち、一方の縦線材２の縦方向凹部４が正面側Ａに突出する箇所と、他方の縦線材２の縦方向凹部４が背面側Ｂに突出する箇所とが、メッシュパネル１の左右方向Ｘで隣り合うものとなるように、隣り合う縦線材２がメッシュパネル１の上下方向Ｙに１ピッチＰずらして設けられる。
【００４４】
本発明を適用したメッシュパネル１は、隣り合う２本の縦線材２のうち、一方の縦線材２の縦方向凹部４が正面側Ａに突出する箇所に、横線材３の横方向凹部５が背面側Ｂに突出する箇所が設けられるとともに、他方の縦線材２の縦方向凹部４が背面側Ｂに突出する箇所に、横線材３の横方向凹部５が正面側Ａに突出する箇所が設けられる。これにより、本発明を適用したメッシュパネル１は、隣り合う２本の縦線材２に対して、各々の縦方向凹部４の間に横線材３が挿通されるものとなる。
【００４５】
本発明を適用したメッシュパネル１は、隣り合う２本の縦線材２のうち、一方の縦線材２の縦方向凹部４が正面側Ａに突出する箇所と、他方の縦線材２の縦方向凹部４が背面側Ｂに突出する箇所とが、メッシュパネル１の前後方向Ｚで互いに一部が所定の長さｄで重なり合うように設けられる。このとき、本発明を適用したメッシュパネル１は、隣り合う２本の縦線材２に対して、前後方向Ｚに横線材３を弾性変形させながら編み込むようにして、各々の縦方向凹部４の間に横線材３が挿通されるものとなる。
【００４６】
なお、本発明を適用したメッシュパネル１は、これに限らず、隣り合う２本の縦線材２のうち、一方の縦線材２の縦方向凹部４が正面側Ａに突出する箇所と、他方の縦線材２の縦方向凹部４が背面側Ｂに突出する箇所とが、前後方向Ｚで互いに重なり合わないように設けられてもよい。
【００４７】
本発明を適用したメッシュパネル１は、図１０に示すように、隣り合う２本の横線材３のうち、一方の横線材３の横方向凹部５が正面側Ａに突出する箇所と、他方の横線材３の横方向凹部５が背面側Ｂに突出する箇所とが、メッシュパネル１の上下方向Ｙで隣り合うものとなるように、隣り合う横線材３がメッシュパネル１の左右方向Ｘに１ピッチＰずらして設けられる。
【００４８】
本発明を適用したメッシュパネル１は、隣り合う２本の横線材３のうち、一方の横線材３の横方向凹部５が正面側Ａに突出する箇所に、縦線材２の縦方向凹部４が背面側Ｂに突出する箇所が設けられるとともに、他方の横線材３の横方向凹部５が背面側Ｂに突出する箇所に、縦線材２の縦方向凹部４が正面側Ａに突出する箇所が設けられる。これにより、本発明を適用したメッシュパネル１は、隣り合う２本の横線材３に対して、各々の横方向凹部５の間に縦線材２が挿通されるものとなる。
【００４９】
本発明を適用したメッシュパネル１は、隣り合う２本の横線材３のうち、一方の横線材３の横方向凹部５が正面側Ａに突出する箇所と、他方の横線材３の横方向凹部５が背面側Ｂに突出する箇所とが、メッシュパネル１の前後方向Ｚで互いに一部が所定の長さｄで重なり合うように設けられる。このとき、本発明を適用したメッシュパネル１は、隣り合う２本の横線材３に対して、前後方向Ｚに縦線材２を弾性変形させながら編み込むようにして、各々の横方向凹部５の間に縦線材２が挿通されるものとなる。
【００５０】
なお、本発明を適用したメッシュパネル１は、これに限らず、隣り合う２本の横線材３のうち、一方の横線材３の横方向凹部５が正面側Ａに突出する箇所と、他方の横線材３の横方向凹部５が背面側Ｂに突出する箇所とが、前後方向Ｚで互いに重なり合わないように設けられてもよい。
【００５１】
本発明を適用したメッシュパネル１は、図９、図１０に示すように、縦線材２と横線材３との交差部７で、縦線材２の縦方向凹部４が正面側Ａに突出する箇所においては、横線材３の横方向凹部５が背面側Ｂに突出するように配置されるとともに、縦線材２の縦方向凹部４が背面側Ｂに突出する箇所においては、横線材３の横方向凹部５が正面側Ａに突出するように配置される。このとき、本発明を適用したメッシュパネル１は、縦線材２の縦方向凹部４と横線材３の横方向凹部５とが、前後方向Ｚに互いに交差するものとなる。
【００５２】
本発明を適用したメッシュパネル１は、縦線材２及び横線材３の何れか一方が、縦線材２と横線材３との交差部７で、縦線材２及び横線材３の何れか他方の縦方向凹部４又は横方向凹部５に納まって前後方向Ｚに挟まれるため、縦線材２と横線材３とが離間しにくく安定して編み込まれると同時に、メッシュパネル１の全体の美観を向上させることが可能となる。
【００５３】
本発明を適用したメッシュパネル１は、縦線材２と横線材３との交差部７で、縦線材２の縦方向凹部４の交差底部６と横線材３の横方向凹部５の交差底部６とが、前後方向Ｚで互いに当接される。本発明を適用したメッシュパネル１は、線材９の軸方向で略直線状に延びて略平面状に交差底部６が形成されるため、縦線材２の縦方向凹部４の交差底部６と横線材３の横方向凹部５の交差底部６とが、縦線材２と横線材３との交差部７で、線材９の軸方向の両側部６ｂで互いに線接触するものとなり、又は、面内方向で互いに面接触するものとなる。
【００５４】
本発明を適用したメッシュパネル１は、図９に示すように、横線材３の横方向凹部５の交差底部６の両側部６ｂで、縦線材２の縦方向凹部４の端部９ｄと面内方向に離間されて、傾斜部９ｃとの間に間隙Ｇが形成される。また、本発明を適用したメッシュパネル１は、図１０に示すように、縦線材２の縦方向凹部４の交差底部６の両側部６ｂで、横線材３の横方向凹部５の端部９ｄと面内方向に離間されて、傾斜部９ｃとの間に間隙Ｇが形成される。
【００５５】
本発明を適用したメッシュパネル１は、図９、図１０に示すように、縦線材２と横線材３との交差部７で、縦線材２の縦方向凹部４の交差底部６及び横線材３の横方向凹部５の交差底部６に間隙Ｇが形成されるため、図１１に示すように、縦線材２及び横線材３を互いに面内方向で自在に傾動させることが可能となる。
【００５６】
本発明を適用したメッシュパネル１は、図１２（ａ）に示すように、縦線材２の縦方向凹部４の交差底部６及び横線材３の横方向凹部５の交差底部６に切込部６ａが形成されるため、例えば、縦線材２及び横線材３の傾斜角度θ１が４５°程度となるように、縦線材２及び横線材３を互いに面内方向で傾動させることができ、可動領域を大きく確保することが可能となる。これに対して、比較例において、交差底部６に切込部６ａが形成されない場合は、図１２（ｂ）に示すように、縦線材２及び横線材３の傾斜角度θ２が小さくなり、縦線材２及び横線材３を互いに面内方向で傾動させることのできる可動領域が小さいものとなることがわかる。
【００５７】
本発明を適用したメッシュパネル１は、交差底部６の線材９の軸方向における長さを長くすることによって、傾斜角度θ１を大きくすることもできるが、縦線材２又は横線材３が交差底部６で面内方向にスライド移動しやすいものとなり、メッシュパネル１の形態安定性が低下するおそれがある。本発明を適用したメッシュパネル１は、交差底部６に切込部６ａが形成されることで、縦線材２の縦方向凹部４及び横線材３の横方向凹部５の交差底部６の両側部６ｂで、横線材３の横方向凹部５及び縦線材２の縦方向凹部４の端部９ｄとの離間距離を大きくすることなく、間隙Ｇを大きくすることができる。これにより、本発明を適用したメッシュパネル１は、傾斜角度θ１を大きくすると同時に、縦線材２及び横線材３の面内方向のスライド移動を抑制することができ、メッシュパネル１の形態安定性を向上させることが可能となる。
【００５８】
本発明を適用したメッシュパネル１は、縦線材２及び横線材３が断面略欠円形状に形成されるため、交差頂部８が湾曲して形成されて線材９の奥行方向Ｚの剛性を向上させることができ、縦線材２及び横線材３の断面性能を向上させて、メッシュパネル１の面外方向の変形を抑制することが可能となる。また、本発明を適用したメッシュパネル１は、縦線材２及び横線材３の交差頂部８が湾曲して形成されるため、メッシュパネル１に人や物が接触した場合であっても、交差頂部８が丸みを帯びて形成されることによって、接触した人や物に損傷を与えることを防止することが可能となる。
【００５９】
本発明を適用したメッシュパネル１は、図１３に示すように、縦線材２と横線材３との交差部７で、縦線材２の縦方向凹部４の交差底部６と横線材３の横方向凹部５の交差底部６とが、接触線Ｓにおいて互いに線接触するものとなり、又は、接触面Ｃにおいて互いに面接触するものとなる。このとき、本発明を適用したメッシュパネル１は、接触線Ｓにおける線接触又は接触面Ｃにおける面接触によって、メッシュパネル１の面外方向の変形に抵抗することができるものとなる。これにより、本発明を適用したメッシュパネル１は、メッシュパネル１の面外方向の変形が抑制され、メッシュパネル１の形態安定性を向上させることができ、メッシュパネル１の運搬、設置を容易、確実にすることが可能となる。
【００６０】
本発明を適用したメッシュパネル１は、接触線Ｓにおける線接触又は接触面Ｃにおける面接触によって、縦線材２及び横線材３として用いられる線材９の回転を防止することができる。このとき、本発明を適用したメッシュパネル１は、縦線材２及び横線材３の回転を防止して、交差底部６で当接された縦方向凹部４及び横方向凹部５が、互いに離間することを防止することができる。これにより、本発明を適用したメッシュパネル１は、縦方向凹部４及び横方向凹部５の交差底部６が互いに離間することを防止して、メッシュパネル１の製造から梱包、運搬、施工までの間におけるメッシュパネル１の分解を防止することが可能となる。
【００６１】
本発明を適用したメッシュパネル１は、図９、図１０に示すように、隣り合う２本の縦線材２又は横線材３に対して、横線材３又は縦線材２を前後方向Ｚに弾性変形させながら編み込むようにして、各々の縦方向凹部４又は横方向凹部５の間に、横線材３又は縦線材２が挿通される。このとき、本発明を適用したメッシュパネル１は、縦線材２及び横線材３が間隙Ｇで面内方向にスライド移動しないように、弾性力がかかった状態で強固に編み込まれるものとなる。これにより、本発明を適用したメッシュパネル１は、縦線材２及び横線材３が接触線Ｓ又は接触面Ｃを支点として、間隙Ｇで互いに面内方向で傾動自在となると同時に、縦線材２及び横線材３の面内方向のスライド移動が抑制され、メッシュパネル１の形態安定性を向上させることができ、メッシュパネル１の運搬、設置を容易、確実にすることが可能となる。
【００６２】
本発明を適用したメッシュパネル１は、例えば、直径が約４ｍｍの直線状の断面略円形状の棒鋼を１ピッチＰが約１０ｍｍとなるように加工して、縦線材２及び横線材３が製造される。これにより、本発明を適用したメッシュパネル１は、縦線材２及び横線材３の各々について、交差底部６が並べて形成されるものとなり、波状の曲線が単調に連続するものに比べて、縦線材２及び横線材３の各々を変化に富んだ形状にすることができ、メッシュパネル１の全体の美感を向上させることが可能となる。
【００６３】
本発明を適用したメッシュパネル１は、縦線材２及び横線材３の各々について、交差底部６が略平行となるように並べて形成されるため、波状の曲線が単調に連続する場合に比べて、線材９の使用量を低減させることが可能となる。具体的には、平面方向で所定の長さとなる縦線材２又は横線材３を得るために、波状の曲線が単調に連続する場合に比べて、約６．６％の線材９の使用量を低減させるものとなる。例えば、幅約２．０ｍ、高さ約１．６ｍのメッシュパネル１においては、４１本の縦線材２及び１０本の横線材３が用いられた場合で、直線状の断面略円形状の線材９を用いるときに、平面方向で約８６ｍの加工された線材９が必要となる。このとき、波状の曲線が単調に連続する場合は、合計で９３．４０ｍ分の加工が必要となるのに対して、交差底部６が略平行となるように並べて形成される場合は、合計で８７．２９ｍ分の直線状の線材９を加工することで足りるものとなる。これにより、本発明を適用したメッシュパネル１は、例えば、幅約２．０ｍ、高さ約１．６ｍのメッシュパネル１において、４１本の縦線材２及び１０本の横線材３が用いられた場合で、波状の曲線が単調に連続する場合に比べて、約６．１１ｍもの線材９の使用量を低減させることができるため、約６．６％もの線材９の使用量を低減させて、メッシュパネル１の製造における歩留まりを著しく向上させることが可能となる。
【００６４】
本発明を適用したメッシュパネル１は、図１４に示すように、縦線材２と横線材３との交差部７で、縦線材２と横線材３とが傾動するときに、線接触又は面接触によって適度に抵抗することになり、手で力を加えたとき等に限ってメッシュパネル１の左右両側が上下方向Ｙに相対移動して傾斜して変形するように、メッシュパネル１の傾斜する変形を適度に調整することが可能となる。これにより、本発明を適用したメッシュパネル１は、メッシュパネル１の傾斜する変形を自在なものとすると同時に、メッシュパネル１の面外方向及び面内方向の変形を抑制して、さらに、メッシュパネル１の傾斜する変形を適度に調整して形態安定性を向上させることができ、メッシュパネル１の運搬、設置を容易にすることが可能となる。
【００６５】
本発明を適用したメッシュパネル１は、平地に設置されるときに、図１５（ａ）に示すように、縦線材２と横線材３とが直角に交差する略長方形の状態で配置することができる。このとき、本発明を適用したメッシュパネル１は、４隅に四方枠２６が形成されることによって、４辺が安定して組み合わされることになる。
【００６６】
また、本発明を適用したメッシュパネル１は、図１５（ｂ）に示すように、メッシュパネル１の左右両側を上下方向Ｙに相対移動させることで、縦線材２が上下方向Ｙに配向されたままの状態を保持して、横線材３を左右方向Ｘに傾斜させることができる。これにより、本発明を適用したメッシュパネル１は、傾斜地に設置されるときに、縦線材２と横線材３とが傾斜して交差する状態で配置することが可能となる。
【００６７】
本発明を適用したメッシュパネル１は、図１６に示すように、所定の間隔を空けて地上に立設された複数の支柱１１に取り付けられることによって、正面側Ａと背面側Ｂとを隔てるものとして、本発明を適用したフェンス１０が地上に設置される。
【００６８】
本発明を適用したフェンス１０は、縦線材２の下端部が下側の横線材３より下方に延長されて、下側の横線材３とともに地中に埋設される。本発明を適用したフェンス１０は、メッシュパネル１の上端が、左右方向Ｘに隣り合う支柱１１の間に架設されたアングル材の上部胴縁１２に固定されるとともに、メッシュパネル１の左右両端が、断面ハット型の支柱１１に固定される。本発明を適用したフェンス１０は、これに限らず、如何なる形状の支柱１１、上部胴縁１２が用いられてもよく、また、上部胴縁１２が用いられなくてもよい。
【００６９】
上部胴縁１２は、図１７（ａ）、図１７（ｂ）に示すように、図１７（ｃ）に示す段差部のある一方の上部胴縁１２に、図１７（ｄ）に示す段差部のない他方の上部胴縁１２を重ね合わせて固定ボルト１８で固定され、所定の長さに連続して連結される。
【００７０】
上部胴縁１２は、図１８（ａ）に示すように、支柱１１に上向きに切り起こされた爪１３にアングル材の垂直部が係止される。上部胴縁１２は、図１８（ｂ）に示すように、支柱１１の上端を貫通する取付ボルト１４の先端に設けられた胴縁取付金具１５にアングル材の水平部が係止される。上部胴縁１２は、図１８（ｃ）に示すように、左右方向Ｘに隣り合う２本１組の縦線材２の間で、２本１組の横線材３が金網取付金具１６によって上部胴縁１２の垂直部の内側に押さえつけられ、金網取付金具１６を貫通するボルト１７を介して固定される。
【００７１】
支柱１１は、図１６に示すＡ部、Ｂ部の金具を適宜に組み合わせることによって、メッシュパネル１の左右両側が固定されるものである。支柱１１は、平地又は傾斜地の何れに本発明を適用したメッシュパネル１が設置されるときも、図１６に示すＡ部、Ｂ部の金具を用いた固定手段を共通に適用することができる。
【００７２】
Ａ部の金具は、図１９（ａ）、図１９（ｂ）に示すように、断面ハット型の支柱１１の両側の鍔部２５に、隣り合うメッシュパネル１の横線材３と縦線材２とを重ね合わせて、Ａ部金具１９で同時に押さえつけるものである。Ａ部金具１９は、支柱１１を抱持したＵボルト２０の両端を挿通させてＡ部ナット２１で締結することで、メッシュパネル１の左右両側を支柱１１に固定するものである。
【００７３】
Ｂ部の金具は、図１９（ｃ）、図１９（ｄ）に示すように、断面ハット型の支柱１１の両側の鍔部２５に、隣り合うメッシュパネル１の横線材３と縦線材２とを重ね合わせて、Ｂ部金具２２で同時に押さえつけるものである。Ｂ部金具２２は、断面ハット型の支柱１１の頂部を貫通するＢ部固定ボルト２３を挿通させてＢ部ナット２４で締結することで、メッシュパネル１の左右両側を支柱１１に固定するものである。
【００７４】
本発明を適用したメッシュパネル１は、図２０に示すように、隣り合う縦線材２を把持して運搬、設置されるものである。このとき、本発明を適用したメッシュパネル１は、縦線材２がプレス加工等によって断面略欠円形状に形成されて加工前の線材９よりも幅方向の長さが長くなるため、面内方向の剛性が向上して縦線材２の面内方向の変形を抑制することができる。これにより、波状の曲線が単調に連続する場合は、線材９の太さを太くすることにより面内方向の変形に対する剛性を向上させることが必要であったが、本発明を適用したメッシュパネル１は、線材９の太さを太くすることなく、面内方向の変形に対する剛性を向上させることが可能となる。
【００７５】
本発明を適用したメッシュパネル１は、図１３に示すように、接触線Ｓにおける線接触又は接触面Ｃにおける面接触によって、メッシュパネル１の面外方向の変形に抵抗することができるものとなる。これにより、本発明を適用したメッシュパネル１は、縦線材２及び横線材３の向きを揃えて美観を向上させることが可能となり、また、縦線材２の回転を防止して上部胴縁１２にメッシュパネル１を垂直に固定することが可能となる。また、本発明を適用したメッシュパネル１は、落石又は小動物がメッシュパネル１に衝突したときの衝撃荷重を、衝突した部位から周囲の縦線材２又は横線材３に分散させることができ、この衝撃荷重をメッシュパネル１全体にスムーズに分散することが可能となる。
【００７６】
以上、本発明の実施形態の例について詳細に説明したが、上述した実施形態は、何れも本発明を実施するにあたっての具体化の例を示したものに過ぎず、これらによって本発明の技術的範囲が限定的に解釈されてはならないものである。
【符号の説明】
【００７７】
１        ：メッシュパネル
２        ：縦線材
３        ：横線材
４        ：縦方向凹部
５        ：横方向凹部
６        ：交差底部
６ａ      ：切込部
６ｂ      ：両側部
７        ：交差部
８        ：交差頂部
９        ：線材
９ａ      ：凸状部
９ｂ      ：凹状部
９ｃ      ：傾斜部
９ｄ      ：端部
１０      ：フェンス
１１      ：支柱
１２      ：上部胴縁
１３      ：爪
１４      ：取付ボルト
１５      ：胴縁取付金具
１６      ：金網取付金具
１７      ：ボルト
１８      ：固定ボルト
１９      ：Ａ部金具
２０      ：Ｕボルト
２１      ：Ａ部ナット
２２      ：Ｂ部金具
２３      ：Ｂ部固定ボルト
２４      ：Ｂ部ナット
２５      ：鍔部
２６      ：四方枠
Ａ        ：正面側
Ｂ        ：背面側
Ｃ        ：接触面
Ｇ        ：間隙
Ｐ        ：ピッチ
Ｓ        ：接触線
Ｘ        ：左右方向（メッシュパネル）
Ｙ        ：上下方向（メッシュパネル）
Ｚ        ：前後方向（メッシュパネル）
ｗ        ：周方向（線材）
【図１】
2015034377.tif 000003
【図２】
2015034377.tif 000004
【図３】
2015034377.tif 000005
【図４】
2015034377.tif 000006
【図５】
2015034377.tif 000007
【図６】
2015034377.tif 000008
【図７】
2015034377.tif 000009
【図８】
2015034377.tif 000010
【図９】
2015034377.tif 000011
【図１０】
2015034377.tif 000012
【図１１】
2015034377.tif 000013
【図１２】
2015034377.tif 000014
【図１３】
2015034377.tif 000015
【図１４】
2015034377.tif 000016
【図１５】
2015034377.tif 000017
【図１６】
2015034377.tif 000018
【図１７】
2015034377.tif 000019
【図１８】
2015034377.tif 000020
【図１９】
2015034377.tif 000021
【図２０】
2015034377.tif 000022
【図２１】
2015034377.tif 000023